(57)【要約】【課題】かごが所定の位置を超えて上昇することをより確実に防止することができるとともに、作業者の作業の手間の軽減化を図ることができるエレベータの安全装置を得る。【解決手段】エレベータの安全装置２１は、ストッパ２２を有している。ストッパ２２は、かご枠１５に対して着脱可能に設けられ、かご２が所定の位置に達したときに昇降路１の頂部１ａに当たってかご２の上昇を阻止することにより、昇降路１の頂部１ａとかご２との間に所定の空間を確保する。【選択図】図１
2014005133.tif 000002
【特許請求の範囲】
【請求項１】
かご枠に対して着脱可能に設けられ、上記かご枠を含むかごが所定の位置に達したときに昇降路の頂部に当たって上記かごの上昇を阻止することにより、上記昇降路の頂部と上記かごとの間に所定の空間を確保するストッパ
を備えていることを特徴とするエレベータの安全装置。
【請求項２】
上記ストッパが上記かご枠に設けられた状態では、上記ストッパの上端部の位置が、上記かごの上部に設けられたかご上手摺の上端部の位置よりも高い位置となっていることを特徴とする請求項１に記載のエレベータの安全装置。
【請求項３】
上記かご枠に取り付けられ、上記ストッパを保持する取付具
をさらに備え、
上記取付具は、取付具側嵌合部を含む保持部材を有し、
上記ストッパは、上記取付具側嵌合部に着脱可能に嵌るストッパ側嵌合部を有し、
上記ストッパは、上記取付側嵌合部に上記ストッパ側嵌合部を嵌めた状態で、上記取付具に保持されることを特徴とする請求項１又は請求項２に記載のエレベータの安全装置。
【請求項４】
上記取付具側嵌合部には、嵌合用貫通穴が設けられ、
上記ストッパ側嵌合部は、上記嵌合用貫通穴に差し込まれることにより、上記取付具側嵌合部に嵌るようになっていることを特徴とする請求項３に記載のエレベータの安全装置。
【請求項５】
上記嵌合用貫通穴は、角穴又は長穴とされていることを特徴とする請求項４に記載のエレベータの安全装置。
【請求項６】
上記かご枠は、上下方向に沿って配置された縦柱を有し、
上記ストッパ側嵌合部には、下端部が開放された縦柱嵌合用スリットが設けられ、
上記ストッパは、上記嵌合用貫通穴に上記ストッパ側嵌合部を差し込むとともに、上記縦柱嵌合用スリットに上記縦柱の上端部を差し込んだ状態で、上記取付具に保持されることを特徴とする請求項４又は請求項５に記載のエレベータの安全装置。
【請求項７】
上記取付具側嵌合部には、上端部が開放された第１の嵌合用スリットが設けられ、
上記ストッパ側嵌合部には、下端部が開放された第２の嵌合用スリットが設けられ、
上記ストッパ側嵌合部は、上記第１の嵌合用スリットに上記ストッパ側嵌合部を差し込みながら、上記第２の嵌合用スリットに上記取付具側嵌合部を差し込むことにより、上記取付側嵌合部に嵌るようになっていることを特徴とする請求項３に記載のエレベータの安全装置。
【請求項８】
上記取付具は、上記保持部材と、互いに対向した状態で上記保持部材に設けられ、互いの距離を調整可能な一対の挟み部材と、上記保持部材に対する上記一対の挟み部材の位置を固定する取付具用締結具とを有し、
上記取付具は、上記一対の挟み部材間で上記かご枠を挟持した状態で、上記保持部材に対する上記一対の挟み部材の位置を上記取付具用締結具により固定することにより、上記かご枠に取り付けられることを特徴とする請求項３〜請求項７のいずれか一項に記載のエレベータの安全装置。
【請求項９】
上記かご枠は、上下方向に沿って配置された縦柱と、上記かごの上部で上記縦柱に固定された上枠とを有し、
上記取付具は、上記上枠を上記縦柱に固定する枠用締結具により上記縦柱に取り付けられていることを特徴とする請求項３〜請求項７のいずれか一項に記載のエレベータの安全装置。
【発明の詳細な説明】
【技術分野】
【０００１】
この発明は、例えばエレベータの保守時等に用いられるエレベータの安全装置に関するものである。
【背景技術】
【０００２】
従来、作業者がかご上に乗って作業をしているときに、かごが誤って上昇することを防止するために、かごとは反対方向へ昇降する釣合おもりの下降を阻止する下降阻止装置を釣合おもり緩衝器の頂部に取り付けるようにしたエレベータの安全装置が提案されている（例えば特許文献１参照）。
【先行技術文献】
【特許文献】
【０００３】
【特許文献１】特開２００１−１５１４３２号公報
【発明の概要】
【発明が解決しようとする課題】
【０００４】
上記のような従来のエレベータの安全装置では、作業者がかご上で作業を行う前に、昇降路の底部に入って下降阻止装置を釣合おもり緩衝器に取り付ける必要があり、作業者の作業に手間がかかってしまう。
【０００５】
この発明は、上記のような課題を解決するためになされたものであり、かごが所定の位置を超えて上昇することをより確実に防止することができるとともに、作業者の作業の手間の軽減化を図ることができるエレベータの安全装置を得ることを目的とする。
【課題を解決するための手段】
【０００６】
この発明に係るエレベータの安全装置は、かご枠に対して着脱可能に設けられ、かご枠を含むかごが所定の位置に達したときに昇降路の頂部に当たってかごの上昇を阻止することにより、昇降路の頂部とかごとの間に所定の空間を確保するストッパを備えている。
【発明の効果】
【０００７】
この発明に係るエレベータの安全装置によれば、ストッパが昇降路の頂部に当たってかごの上昇を阻止するので、かごが所定の位置を超えて上昇することをより確実に防止することができる。また、安全装置を設置するために作業者が昇降路の底部に入る必要がなくなるので、作業者の作業の手間の軽減化を図ることができる。
【図面の簡単な説明】
【０００８】
【図１】この発明の実施の形態１によるエレベータの上部を示す構成図である。
【図２】図１の作業者、かご上手摺及びストッパのそれぞれの高さの関係を示す構成図である。
【図３】図１の安全装置を示す斜視図である。
【図４】図３の安全装置を示す分解斜視図である。
【図５】図４の取付具を示す斜視図である。
【図６】図５の一対の挟み部材間の距離を広げた状態を示す斜視図である。
【図７】この発明の実施の形態２によるエレベータの安全装置を示す斜視図である。
【発明を実施するための形態】
【０００９】
実施の形態１．
図１は、この発明の実施の形態１によるエレベータの上部を示す構成図である。図において、昇降路１内には、かご２及び釣合おもり（図示せず）がそれぞれ昇降可能に設けられている。また、昇降路１内の上部には、かご２及び釣合おもりを昇降させる駆動力を発生する巻上機（駆動装置）３が設置されている。巻上機３は、モータを含む巻上機本体４と、巻上機本体４により回転される駆動綱車５とを有している。
【００１０】
駆動綱車５には、複数本の主索６が巻き掛けられている。主索６としては、例えばロープやベルト等が用いられている。かご２及び釣合おもりは、主索６により昇降路１内に吊り下げられている。かご２及び釣合おもりは、駆動綱車５が回転されることにより、互いに逆方向へ昇降される。
【００１１】
かご２にはかご吊り車７が設けられ、釣合おもりには釣合おもり吊り車（図示せず）が設けられている。昇降路１の上部には、かご側綱止め装置及び釣合おもり側綱止め装置（いずれも図示せず）が設けられている。主索６は、かご側綱止め装置に接続された一端部から、かご吊り車７、駆動綱車５、釣合おもり吊り車の順に巻き掛けられ、釣合おもり側綱止め装置に接続された他端部に達している。従って、この例では、主索６によるかご２及び釣合おもりの吊り下げ方式が、２：１ローピング方式とされている。
【００１２】
各階の乗場１１には、乗場１１と昇降路１内とを連通する乗場出入口１２が設けられている。エレベータの保守時には、各階の通常停止位置からずれた位置にかご２を停止させることにより、作業者１３が乗場出入口１２を通って乗場１１とかご２上との間で移動可能になっている。
【００１３】
かご２は、かご室１４と、かご室１４を囲むかご枠１５とを有している。かご枠１５は、かご２の下部に配置されてかご室１４を下から受ける下枠１６と、かご２の上部に配置された上枠１７と、かご室１４の両側で上下方向に沿って配置され、下枠１６及び上枠１７間を繋ぐ一対の縦柱１８とを有している。上枠１７は、かご室１４の上面に沿って水平に配置された額縁状の枠である。
【００１４】
かご２の上部には、かご２の上方の空間を上枠１７に沿って囲むかご上手摺１９が設けられている。かご上手摺１９は、上枠１７に固定されている。この例では、かご上手摺１９が金属製（例えば鉄製等）のパイプ材やアングル材により構成されている。上枠１７からのかご上手摺１９の高さは、８５０ｍｍ以上の高さとなっている。かご２上の作業者１３は、かご上手摺１９の内側の領域で作業を行う。なお、かご上手摺１９は、折りたたみ式となっていてもよい。かご上手摺１９が折りたたみ式となっている場合、かご上手摺１９が展開された状態の高さが８５０ｍｍ以上の高さとなる。
【００１５】
例えば保守時等に作業者１３がかご２上で作業を行う場合には、かご２の上昇を制限するための安全装置２１がかご枠１５に取り付けられる。安全装置２１は、かご２の上部に設けられる。また、安全装置２１は、所定の長さを持ちかご枠１５に対して着脱可能に設けられるストッパ２２と、かご枠１５に取り付けられ、ストッパ２２を保持する取付具２３とを有している。ストッパ２２及び取付具２３のそれぞれの強度は、かご上手摺１９よりも十分に高い強度とされている。この例では、ストッパ２２及び取付具２３が金属（例えば鉄等）により構成されている。
【００１６】
ストッパ２２は、取付具２３に着脱可能になっている。これにより、ストッパ２２はかご枠１５に対して着脱可能に設けられている。また、ストッパ２２は、かご２の上部から上方へ突出した状態で取付具２３に保持される。ストッパ２２がかご枠１５に設けられた状態では、ストッパ２２の上端部の位置がかご上手摺１９の上端部の位置よりも高い位置となっている。ストッパ２２の長さは、８００ｍｍ〜１２００ｍｍの範囲内の長さとされている。
【００１７】
ここで、図２は、図１の作業者１３、かご上手摺１９及びストッパ２２のそれぞれの高さの関係を示す構成図である。この例では、かご２上の作業者がかがんだときの頭の位置の高さＡが、かご枠１５に設けられたストッパ２２の上端部の位置の高さＢよりも低く、かつかご上手摺１９の上端部の位置の高さＣよりも高くなるように、ストッパ２２の長さ及びかご上手摺１９の高さが設定されている。
【００１８】
かご枠１５に対してストッパ２２が設けられている状態では、かご２が誤って上昇してかご２が所定の位置に達すると、ストッパ２２が昇降路１の頂部１ａに当たって、かご２がさらに上昇することが阻止される。これにより、かご２と昇降路１の頂部１ａとで挟まれないように作業者１３を保護する所定の空間がかご２と昇降路１の頂部１ａとの間に確保される。即ち、ストッパ２２は、かご２が所定の位置に達したときに昇降路１の頂部１ａに当たってかご２の上昇を阻止することにより、昇降路１の頂部１ａとかご２との間に作業者１３が挟まることを防止する。
【００１９】
取付具２３は、上枠１７に着脱可能に取り付けられる。また、取付具２３は、一方の縦柱１８の上方にストッパ２２を配置した状態でストッパ２２を保持する。
【００２０】
図３は、図１の安全装置２１を示す斜視図である。また、図４は、図３の安全装置２１を示す分解斜視図である。図において、縦柱１８は、互いに対向しながら縦柱１８の長さ方向に沿って配置される一対の対向板１８ａと、一対の対向板１８ａの各縁部間を連結する背板１８ｂとを有する断面コ字状の柱部材である。縦柱１８は、背板１８ｂをかご室１４の側面に向けて配置されている。上枠１７は、複数の枠用締結具２４によって縦柱１８の上端部に固定されている。
【００２１】
上枠１７には、枠固定用金具２５が固定されている。各枠用締結具２４は、枠固定用金具２５を縦柱１８に締結することにより、上枠１７を縦柱１８の上端部に固定している。また、各枠用締結具２４は、締結ボルトと、締結ボルトに螺合される締結ナットとを有している。枠固定用金具２５は、枠固定用金具２５及び縦柱１８のそれぞれに設けられたボルト通し穴に通された締結ボルトに締結ナットが螺合され、締結ボルトと締結ナットとが締め付けられることにより、縦柱１８に締結される。
【００２２】
取付具２３は、ストッパ２２を保持する保持部材３１と、互いに対向した状態で保持部材３１の下面に設けられ、互いの距離を調整可能な一対の挟み部材３２と、保持部材３１に対する一対の挟み部材３２の位置を固定する複数の取付具用締結具３３とを有している。各取付具用締結具３３は、締結ボルトと、締結ボルトに螺合される締結ナットとを有している。
【００２３】
保持部材３１は、取付具２３が上枠１７に取り付けられた状態で水平に配置される板状部材である。また、保持部材３１は、一対の挟み部材３２が取り付けられる基部３１ａと、基部３１ａと一体になっており、ストッパ２２が着脱可能に取り付けられる取付具側嵌合部３１ｂとを有している。
【００２４】
ここで、図５は、図４の取付具２３を示す斜視図である。また、図６は、図５の一対の挟み部材３２間の距離を広げた状態を示す斜視図である。図５及び図６に示すように、保持部材３１の基部３１ａには、複数（この例では、２つ）の長穴である第１のボルト通し穴３４と、複数（この例では、２つ）の丸穴である第２のボルト通し穴３５とが設けられている。各第１のボルト通し穴３４は、複数の第２のボルト通し穴３５が並ぶ方向に対して垂直な方向に沿ってそれぞれ設けられている。
【００２５】
一方の挟み部材３２は、第１のボルト通し穴３４に通された取付具用締結具３３の締結ボルトと、この締結ボルトに螺合された締結ナットとの間で基部３１ａ及び一方の挟み部材３２が締め付けられることにより、保持部材３１に固定される。他方の挟み部材３２は、第２のボルト通し穴３５に通された取付具用締結具３３の締結ボルトと、この締結ボルトに螺合された締結ナットとの間で基部３１ａ及び他方の挟み部材３２が締め付けられることにより、保持部材３１に固定される。
【００２６】
保持部材３１に対する一方の挟み部材３２の位置は、一方の挟み部材３２を固定する取付具用締結具３３の締結ボルト及び締結ナットの締め付けを緩めることにより、第１のボルト通し穴３４に沿って調整可能になっている。一対の挟み部材３２間の距離は、他方の挟み部材３２を保持部材３１に固定したまま、保持部材３１に対する一方の挟み部材３２の位置を第１のボルト通し穴３４に沿って調整することにより調整される。
【００２７】
取付具２３は、一対の挟み部材３２間で上枠１７を挟持した状態で、保持部材３１に対する一対の挟み部材３２の位置を各取付具用締結具３３によって固定することにより、保持部材３１を水平にして上枠１７に取り付けられる。また、取付具２３は、取付具用締結具３３の締結ボルト及び締結ナットの締め付けを緩めて一対の挟み部材３２間の距離を広げることにより上枠１７から取り外し可能になる。
【００２８】
取付具側嵌合部３１ｂは、取付具２３が上枠１７に取り付けられた状態で、縦柱１８の一方の対向板１８ａの上方に配置されている。取付具側嵌合部３１ｂには、嵌合用貫通穴３６が設けられている。この例では、嵌合用貫通穴３６が断面矩形状の角穴とされている。
【００２９】
ストッパ２２は、図３及び図４に示すように、上下方向に沿って配置される板状のストッパ本体４１と、ストッパ本体４１の上端部に水平に設けられ、昇降路１の頂部１ａを受けるための受け板４２とを有している。
【００３０】
ストッパ本体４１は、上下方向へ延びるストッパ柱部４３と、ストッパ柱部４３の下端部から下方へ突出し、嵌合用貫通穴３６に差し込まれるストッパ側嵌合部４４とを有している。
【００３１】
ストッパ側嵌合部４４の幅寸法は、ストッパ柱部４３の幅寸法よりも小さくなっている。ストッパ側嵌合部４４は、嵌合用貫通穴３６に差し込まれることにより、取付具側嵌合部３１ｂに着脱可能に嵌るようになっている。ストッパ側嵌合部４４が取付具側嵌合部３１ｂに嵌っている状態では、ストッパ側嵌合部４４が取付具側嵌合部３１ｂに係合することにより、保持部材３１に対するストッパ２２の水平方向への変位が防止され、ストッパ柱部４３が取付具側嵌合部３１ｂに係合することにより、ストッパ本体４１が保持部材３１から下方へ抜けることが防止される。ストッパ２２は、取付具側嵌合部３１ｂにストッパ側嵌合部４４を嵌めた状態で、取付具２３に保持される。ストッパ側嵌合部４４の断面形状は、嵌合用貫通穴３６に合わせた矩形状とされている。
【００３２】
ストッパ側嵌合部４４には、下端部が開放された縦柱嵌合用スリット４５が設けられている。ストッパ２２は、嵌合用貫通穴３６にストッパ側嵌合部４４を差し込むとともに、縦柱嵌合用スリット４５に縦柱１８の一方の対向板１８ａの上端部を差し込んだ状態で、取付具２３に保持される。これにより、かご枠１５に対するストッパ２２の取付状態の安定化がさらに図られる。なお、この例では、縦柱嵌合用スリット４５の両側に位置するストッパ側嵌合部４４の部分の長さは、互いに同じ長さとなっているが、縦柱嵌合用スリット４５の両側に位置するストッパ側嵌合部４４の部分の長さを互いに異なる長さとしてもよい。
【００３３】
次に、例えばエレベータの保守時等にかご２上の作業者１３が安全装置２１をかご枠１５に取り付けるときの手順について説明する。安全装置２１をかご枠１５に取り付けるときには、まず、一対の挟み部材３２間で上枠１７を挟持させ、取付具用締結具３３で保持部材３１に対する一対の挟み部材３２の位置を固定することにより、取付具２３を上枠１７に取り付ける。このとき、保持部材３１の取付具側嵌合部３１ｂの位置が、縦柱１８の上方になるようにしておく。
【００３４】
この後、ストッパ２２のストッパ側嵌合部４４を上方から嵌合用貫通穴３６に差し込むことにより、ストッパ側嵌合部４４を取付具側嵌合部３１ｂに嵌める。このとき、ストッパ側嵌合部４４を嵌合用貫通穴３６に差し込みながら、縦柱１８の一方の対向板１８ａの上端部を縦柱嵌合用スリット４５に差し込む。これにより、ストッパ２２が取付具２３及び縦柱１８の上端部に立った状態で保持される。このようにして、安全装置２１をかご枠１５に取り付ける。
【００３５】
次に、作業者１３がかご２上で作業しているときに何らかの原因でかご２が上昇した場合の動作について説明する。かご２が上昇すると、ストッパ２２が昇降路１の頂部１ａに近づく。この後、かご２が所定の位置に達したときに、ストッパ２２が昇降路１の頂部１ａに当たって、かご２の上昇が阻止される。ストッパ２２が昇降路１の頂部１ａに当たった状態では、かご２上の作業者１３を保護する所定の空間が昇降路１の頂部１ａとかご２との間に確保されている。これにより、作業者１３が昇降路１の頂部１ａとかご２との間に挟まれることが防止される。
【００３６】
作業者１３による保守作業が終了すると、ストッパ２２及び取付具２３をかご枠１５から取り外す。この後、ストッパ２２及び取付具２３をかご枠１５から取り外した状態でエレベータの通常運転が行われる。
【００３７】
このようなエレベータの安全装置２１では、かご２が所定の位置に達したときに昇降路１の頂部１ａに当たってかご２の上昇を阻止するストッパ２２がかご枠１５に対して着脱可能に設けられているので、作業者１３がかご２上で作業をしているときに何らかの原因でかご２が上昇した場合であっても、かご２が所定の位置を超えて上昇することをより確実に防止することができ、昇降路１の頂部１ａとかご２との間に作業者１３が挟まることをより確実に防止することができる。また、作業者１３がかご２上で安全装置２１を設置することができるので、かご２の上昇を阻止する装置を設置するために昇降路１の底部に作業者１３が入る手間をなくすことができ、安全装置２１を設置するための作業者１３の手間の軽減化を図ることができる。
【００３８】
また、ストッパ２２がかご枠１５に設けられた状態では、ストッパ２２の上端部の位置がかご上手摺１９の上端部の位置よりも高い位置となっているので、かご２が上昇してもかご上手摺１９が昇降路１の頂部１ａに当たることを回避することができ、かご上手摺１９の破損を防止することができる。
【００３９】
また、ストッパ２２は、取付具側嵌合部３１ｂにストッパ側嵌合部４４を着脱可能に嵌めた状態で、取付具２３に保持されるので、かご枠１５に対するストッパ２２の着脱を容易にすることができる。
【００４０】
また、ストッパ２２のストッパ側嵌合部４４は、取付具側嵌合部３１ｂの嵌合用貫通穴３６に差し込まれることにより、取付具側嵌合部３１ｂに嵌るようになっているので、簡単な構成で、取付具２３にストッパ２２を着脱可能にすることができる。
【００４１】
また、嵌合用貫通穴３６は、角穴とされているので、ストッパ２２が取付具２３に保持されている状態で、ストッパ２２が嵌合用貫通穴３６内で回ることを防止することができる。
【００４２】
また、ストッパ側嵌合部４４には、下端部が開放された縦柱嵌合用スリット４５が設けられ、縦柱嵌合用スリット４５に縦柱１８の一方の対向板１８ａの上端部を差し込んだ状態で、ストッパ２２が取付具２３に保持されるので、取付具２３だけでなく、縦柱１８によってもストッパ２２を保持することができ、かご枠１５に対するストッパ２２の取付状態をさらに安定させることができる。
【００４３】
また、取付具２３では、互いの距離を調整可能な一対の挟み部材３２が保持部材３１に設けられ、保持部材３１に対する一対の挟み部材３２の位置が取付具用締結具３３により固定されるようになっているので、かご枠１５に取付具２３を取り付けるときに、一対の挟み部材３２間でかご枠１５を挟持させた状態で一対の挟み部材３２を取付具用締結具３３で固定することができる。これにより、かご枠１５に取付具２３を容易に着脱することができる。
【００４４】
なお、上記の例では、縦柱１８の上端部が差し込まれる縦柱嵌合用スリット４５がストッパ側嵌合部４４に設けられているが、取付具２３がかご枠１５に強固に取り付けられ、取付具２３に対するストッパ２２の保持状態が安定していれば、縦柱嵌合用スリット４５がストッパ側嵌合部４４になくてもよい。この場合、ストッパ側嵌合部４４は縦柱１８の上端部を避けて配置される。
【００４５】
また、上記の例では、取付具側嵌合部３１ｂに設けられた嵌合用貫通穴３６が断面矩形状の角穴とされているが、嵌合用貫通穴３６の断面形状を矩形以外の多角形としてもよい。また、嵌合用貫通穴３６を両端部が円弧状とされた長穴としてもよい。さらに、ストッパ側嵌合部４４が嵌合用貫通穴３６内で回っても、かご２が所定の位置を超えて上昇することを防止することができるので、嵌合用貫通穴３６の断面形状を円形としてもよい（即ち、嵌合用貫通穴３６を丸穴としてもよい）。これらの場合、ストッパ側嵌合部４４が嵌合用貫通穴３６に隙間なく差し込まれるように、ストッパ側嵌合部４４の断面形状が嵌合用貫通穴３６の断面形状に合わせた形状とされる。
【００４６】
また、上記の例では、一対の挟み部材３２のうち、一方の挟み部材３２の位置のみを保持部材３１に対して調整することにより、一対の挟み部材３２間の距離が調整されるようになっているが、一対の挟み部材３２のそれぞれの位置を保持部材３１に対して調整することにより、一対の挟み部材３２間の距離を調整するようにしてもよい。この場合、一方の挟み部材３２に設けられた第１のボルト通し穴３４だけでなく、他方の挟み部材３２に設けられた第２のボルト通し穴３５も長穴とされる。
【００４７】
実施の形態２．
図７は、この発明の実施の形態２によるエレベータの安全装置を示す斜視図である。図において、取付具２３は、ストッパ２２を保持する保持部材５１を有している。保持部材５１は、縦柱１８の上端部に取り付けられる基部５１ａと、基部５１ａと一体となっており、ストッパ２２が着脱可能に取り付けられる板状の取付具側嵌合部５１ｂとを有している。
【００４８】
基部５１ａは、上枠１７を縦柱１８に固定する複数の枠用締結具２４によって縦柱１８の一方の対向板１８ａの上端部に締結されている。即ち、上枠１７及び保持部材５１は、基部５１ａ、一方の対向板１８ａ及び枠固定用金具２５を複数の枠用締結具２４によって共締めすることにより、縦柱１８の上端部に固定されている。保持部材５１は、枠用締結具２４による締結を外すことにより、縦柱１８から取り外し可能になっている。
【００４９】
基部５１ａには、枠用締結具２４の締結ボルトが通されるボルト通し穴が設けられている。各枠用締結具２４は、基部５１ａ、一方の対向板１８ａ及び枠固定用金具２５のそれぞれに設けられたボルト通し穴に通された枠用締結具２４の締結ボルトと、この締結ボルトに螺合された締結ナットとを締め付けることにより、基部５１ａ、一方の対向板１８ａ及び枠固定用金具２５を共締めしている。
【００５０】
取付具側嵌合部５１ｂは、基部５１ａから上方へ突出している。また、取付具側嵌合部５１ｂには、上端部が開放された第１の嵌合用スリット５２が設けられている。なお、この例では、第１の嵌合用スリット５２の両側に位置する取付具側嵌合部５１ｂの部分の長さは、互いに同じ長さとなっているが、第１の嵌合用スリット５２の両側に位置する取付具側嵌合部５１ｂの部分の長さを互いに異なる長さとしてもよい。
【００５１】
ストッパ２２は、上下方向へ延びる円柱状のストッパ柱部５３と、ストッパ柱部５３の下端部から下方へ突出し、取付具側嵌合部５１ｂに嵌る板状のストッパ側嵌合部５４とを有している。ストッパ柱部５３は、かご上手摺１９に保持金具６１で保持されている。ストッパ柱部５３の上端部は、昇降路１の頂部１ａを受けるようになっている。ストッパ側嵌合部５４には、下端部が開放された第２の嵌合用スリット５５が設けられている。なお、この例では、第２の嵌合用スリット５５の両側に位置するストッパ側嵌合部５４の部分の長さは、互いに同じ長さとなっているが、第２の嵌合用スリット５５の両側に位置するストッパ側嵌合部５４の部分の長さを互いに異なる長さとしてもよい。また、この例では、第１の嵌合用スリット５２及び第２の嵌合用スリット５５のそれぞれの断面形状が矩形状となっている。
【００５２】
ストッパ側嵌合部５４は、第１の嵌合用スリット５２にストッパ側嵌合部５４を差し込みながら、第２の嵌合用スリット５５に取付具側嵌合部５１ｂを差し込むことにより、取付具側嵌合部５１ｂに着脱可能に嵌るようになっている。ストッパ２２は、取付具側嵌合部５１ｂにストッパ側嵌合部５４を嵌めた状態で、取付具２３に保持される。ストッパ２２が取付具２３に保持されている状態では、ストッパ側嵌合部５４と取付具側嵌合部５１ｂとが係合することにより、取付具側嵌合部５１ｂに対するストッパ側嵌合部５４の水平方向への変位が防止される。他の構成及び動作は実施の形態１と同様である。
【００５３】
次に、安全装置２１をかご枠１５に取り付けるときの手順について説明する。安全装置２１をかご枠１５に取り付けるときには、まず、上枠１７を縦柱１８に固定する枠用締結具２４を縦柱１８から外した後、この枠用締結具２４によって取付具２３の保持部材５１を上枠１７とともに縦柱１８に固定する。
【００５４】
この後、保持部材５１の上方からストッパ２２を下ろして、第１の嵌合用スリット５２にストッパ側嵌合部５４を差し込みながら、第２の嵌合用スリット５５に取付具側嵌合部５１ｂを差し込むことにより、ストッパ側嵌合部５４を取付具側嵌合部５１ｂに嵌める。これにより、ストッパ２２が取付具２３に立った状態で保持される。このようにして、安全装置２１をかご枠１５に取り付ける。
【００５５】
このようなエレベータの安全装置２１では、第１の嵌合用スリット５２にストッパ側嵌合部５４を差し込みながら、第２の嵌合用スリット５５に取付具側嵌合部５１ｂを差し込むことにより、ストッパ側嵌合部５４を取付具側嵌合部５１ｂに嵌めるようになっているので、簡単な構成で、取付具２３にストッパ２２を着脱可能にすることができる。また、取付具２３にストッパ２２をより安定的に保持させることができる。
【００５６】
また、取付具２３は、上枠１７を縦柱１８に固定する枠用締結具２４により縦柱１８に取り付けられているので、縦柱１８に対して上枠１７を固定する締結具と、かご枠１５に対して取付具２３を固定する締結具とを、枠用締結具２４によって兼用させることができ、部品点数の低減化を図ることができる。また、取付具２３をかご枠１５に取り付けるために既設の枠用締結具２４を用いることができるだけでなく、取付具２３を取り付けるための加工を縦柱１８に対して行う現地作業（たとえば縦柱１８に対する穴あけ加工作業）もなくすことができ、安全装置２１を設置するための作業者１３の手間の軽減化を図ることができる。
【００５７】
なお、実施の形態１における取付具側嵌合部３１ｂを、第１の嵌合用スリット５２が設けられた取付具側嵌合部５１ｂとし、実施の形態１におけるストッパ側嵌合部４４を、第２の嵌合用スリット５５が設けられたストッパ側嵌合部５４としてもよい。
【００５８】
また、実施の形態１におけるかご枠１５に対する保持部材３１の取り付け構造を、実施の形態２における保持部材５１の取り付け構造としてもよい。即ち、上枠１７を縦柱１８に固定する枠用締結具２４によって、実施の形態１における保持部材３１を縦柱１８に固定するようにしてもよい。
【００５９】
また、各上記実施の形態では、ストッパ２２及び取付具２３がかご枠１５から取り外された状態でエレベータの通常運転が行われるようになっているが、ストッパ２２を取付具２３から取り外して取付具２３はかご枠１５に取り付けたままエレベータの通常運転を行うようにしてもよい。
【００６０】
また、各上記実施の形態では、かご枠１５に設けられる安全装置２１の数が１つのみとされているが、かご枠１５に設けられる安全装置２１の数を複数としてもよい。このようにすれば、所定の位置を超えてかご２が上昇することをさらに確実に阻止することができる。
【００６１】
また、各上記実施の形態では、主索６によるかご２及び釣合おもりの吊り下げ方式が２：１ローピング方式とされているが、主索６の一端部をかご２に接続し、主索６の他端部を釣合おもりに接続することにより、主索６によるかご２及び釣合おもりの吊り下げ方式を１：１ローピング方式としてもよい。
【符号の説明】
【００６２】
１  昇降路、１ａ  頂部、２  かご、１５  かご枠、１７  上枠、１８  縦柱、２１  安全装置、２２  ストッパ、２３  取付具、２４  枠用締結具、３１，５１  保持部材、３１ｂ，５１ｂ  取付具側嵌合部、３２  挟み部材、３３  取付具用締結具、３６  嵌合用貫通穴、４４，５４  ストッパ側嵌合部、４５  縦柱嵌合用スリット、５２  第１の嵌合用スリット、５５  第２の嵌合用スリット。
【図１】
2014005133.tif 000003
【図２】
2014005133.tif 000004
【図３】
2014005133.tif 000005
【図４】
2014005133.tif 000006
【図５】
2014005133.tif 000007
【図６】
2014005133.tif 000008
【図７】
2014005133.tif 000009